(57)【要約】【課題】撮像画像における注目オブジェクトの情報量を、他のオブジェクトの情報量より高くして格納する撮像装置を提供する。【解決手段】被写体を撮像する画像撮像装置であって、被写体の撮像画像を撮像する撮像部と、撮像部が撮像した撮像画像を表示する表示部と、表示部上におけるユーザの視線に基づいて、注目位置を検出する位置検出部と、撮像画像に含まれる複数のオブジェクトのうち、位置検出部が検出した注目位置に表示されている注目オブジェクトを、他のオブジェクトより多くの情報量で格納する画像処理部とを備える画像撮像装置を提供する。【選択図】図１
2005109756.tif 000002
【特許請求の範囲】
【請求項１】
被写体を撮像する画像撮像装置であって、
前記被写体の撮像画像を撮像する撮像部と、
前記撮像部が撮像した前記撮像画像を表示する表示部と、
前記表示部上におけるユーザの視線に基づいて、注目位置を検出する位置検出部と、
前記撮像画像に含まれる複数のオブジェクトのうち、前記位置検出部が検出した前記注目位置に表示されている注目オブジェクトを、他の前記オブジェクトより多くの情報量で格納する画像処理部と
を備える画像撮像装置。
【請求項２】
前記画像処理部は、
前記撮像部が撮像した前記撮像画像と、前記注目位置とを対応付けて格納する元データ格納部と、
前記元データ格納部が格納した前記撮像画像及び前記注目位置に基づいて、前記複数のオブジェクトから前記注目オブジェクトを抽出するオブジェクト検出部と、
前記注目オブジェクトを、他の前記オブジェクトより多くの情報量で格納する画像格納部と
を有する請求項１に記載の画像撮像装置。
【請求項３】
前記撮像部は、前記撮像画像の複数の画素に対応する複数の撮像素子を有し、
前記画像処理部は、
前記撮像画像の画素データを格納する画像格納部と、
前記複数の撮像素子から、第１の間隔で前記複数の撮像素子の数より少ない数の前記撮像素子を抽出し、抽出した前記撮像素子が出力する画素データを前記画像格納部に格納させる他オブジェクト画像取得部と、
前記複数の撮像素子のうち、前記注目オブジェクトに対応する前記撮像素子から、前記第１の間隔より狭い第２の間隔で前記撮像素子を抽出し、抽出した前記撮像素子が出力する画素データを前記画像格納部に更に格納させる注目オブジェクト画像取得部と
を有する請求項１に記載の画像撮像装置。
【請求項４】
前記撮像部は、動画像を撮像し、
前記画像格納部は、前記撮像部が撮像した前記動画像に含まれる前記複数のオブジェクトのそれぞれを分離し、ＭＰＥＧ４規格に基づいてそれぞれの前記オブジェクトを圧縮符号化して格納する
請求項２又は３に記載の画像撮像装置。
【請求項５】
前記撮像部は、動画像を撮像し、
前記元データ格納部は、前記動画像のそれぞれのフレーム毎に、前記注目位置を格納し、
前記オブジェクト検出部は、前記複数のオブジェクトのうち、前記注目位置と前記オブジェクトの位置とが一致するフレーム数が、予め定められたフレーム数以上である一又は複数の前記オブジェクトを、前記注目オブジェクトとして検出する
請求項２に記載の画像撮像装置。
【請求項６】
前記画像格納部は、前記他のオブジェクトのフレームレートを、前記注目オブジェクトのフレームレートより低下させて格納する
請求項５に記載の画像撮像装置。
【請求項７】
前記画像格納部は、前記他のオブジェクトの輝度又は色度の少なくとも一方の階調を、前記注目オブジェクトの輝度又は色度の階調より低下させて格納する
請求項２に記載の画像撮像装置。
【請求項８】
前記画像格納部は、前記他のオブジェクトの解像度を、前記注目オブジェクトの解像度より低下させて格納する
請求項２に記載の画像撮像装置。
【請求項９】
前記画像格納部は、前記他のオブジェクトをグレースケール画像として格納し、前記注目オブジェクトをカラー画像として格納する
請求項２に記載の画像撮像装置。
【請求項１０】
前記画像格納部は、それぞれの前記オブジェクトの画像データを離散コサイン変換し、前記注目オブジェクトの空間周波数成分を第１量子化係数で除算することにより量子化して格納し、前記他のオブジェクトの空間周波数成分を前記第１量子化係数より大きい第２量子化係数で除算することにより量子化して格納する
請求項２に記載の画像撮像装置。
【請求項１１】
前記被写体の撮像画像を格納する画像処理装置であって、
前記撮像画像を表示する表示部と、
前記表示部上におけるユーザの視線に基づいて、注目位置を検出する位置検出部と、
前記撮像画像に含まれる複数のオブジェクトのうち、前記位置検出部が検出した前記注目位置に表示されている注目オブジェクトを、他の前記オブジェクトより多くの情報量で格納する画像処理部と
を備える画像処理装置。
【請求項１２】
被写体を撮像する画像撮像方法であって、
前記被写体の撮像画像を撮像する撮像段階部と、
前記撮像段階において撮像した前記撮像画像を表示部に表示する表示段階と、
前記表示部上におけるユーザの視線に基づいて、注目位置を検出する位置検出段階と、
前記撮像画像に含まれる複数のオブジェクトのうち、前記位置検出段階において検出した前記注目位置に表示されている注目オブジェクトを、他の前記オブジェクトより多くの情報量で格納する画像処理段階と
を備える画像撮像方法。
【請求項１３】
被写体を撮像する画像撮像装置を機能させるプログラムであって、
画像撮像装置を、
前記被写体の撮像画像を撮像する撮像部と、
前記撮像部が撮像した前記撮像画像を表示する表示部と、
前記表示部上におけるユーザの視線に基づいて、注目位置を検出する位置検出部と、
前記撮像画像に含まれる複数のオブジェクトのうち、前記位置検出部が検出した前記注目位置に表示されている注目オブジェクトを、他の前記オブジェクトより多くの情報量で格納する画像処理部と
して機能させるプログラム。
【発明の詳細な説明】
【技術分野】
【０００１】
本発明は、被写体を撮像する画像撮像装置並びに画像撮像方法、撮像画像を格納する画像処理装置、及び撮像装置を機能させるプログラムに関する。特に、本発明は撮像画像をディジタルデータとして格納する画像撮像装置等に関する。
【背景技術】
【０００２】
従来、被写体を撮像する撮像装置として、ディジタルカメラ等が知られている。ディジタルカメラは、多数のＣＣＤにより被写体を撮像し、ＣＣＤからの出力データをディジタルデータとして格納する。
【０００３】
しかし、近年ディジタルカメラの画素数が増大し、撮像された画像データのデータ量は非常に大きくなっている。これに対し、ディジタルカメラのメモリ容量は限られているため、ディジタルカメラは小数の画像しか格納することができない。このような問題を解決するものとして、画像データを圧縮して格納するディジタルカメラがある。
【０００４】
関連する特許文献等は、現在認識していないため、その記載を省略する。
【発明の開示】
【発明が解決しようとする課題】
【０００５】
しかし、従来のディジタルカメラは、画像データのうち、重要でない部分も、重要な部分と同程度の情報量を保持したまま圧縮して格納される。このため、より圧縮率を上げて画像データを格納した場合には、重要な部分の情報量が不足してしまう。また、より圧縮率を下げて画像データを格納した場合には、重要でない部分の情報量が冗長となってしまう。
【課題を解決するための手段】
【０００６】
上記課題を解決するために、本発明の第１の形態においては、被写体を撮像する画像撮像装置であって、被写体の撮像画像を撮像する撮像部と、撮像部が撮像した撮像画像を表示する表示部と、表示部上におけるユーザの視線に基づいて、注目位置を検出する位置検出部と、撮像画像に含まれる複数のオブジェクトのうち、位置検出部が検出した注目位置に表示されている注目オブジェクトを、他のオブジェクトより多くの情報量で格納する画像処理部とを備える画像撮像装置を提供する。
【０００７】
画像処理部は、撮像部が撮像した撮像画像と、注目位置とを対応付けて格納する元データ格納部と、元データ格納部が格納した撮像画像及び注目位置に基づいて、複数のオブジェクトから注目オブジェクトを抽出するオブジェクト検出部と、注目オブジェクトを、他のオブジェクトより多くの情報量で格納する画像格納部とを有してよい。
【０００８】
撮像部は、撮像画像の複数の画素に対応する複数の撮像素子を有し、画像処理部は、撮像画像の画素データを格納する画像格納部と、複数の撮像素子から、第１の間隔で複数の撮像素子の数より少ない数の撮像素子を抽出し、抽出した撮像素子が出力する画素データを画像格納部に格納させる他オブジェクト画像取得部と、複数の撮像素子のうち、注目オブジェクトに対応する撮像素子から、第１の間隔より狭い第２の間隔で撮像素子を抽出し、抽出した撮像素子が出力する画素データを画像格納部に更に格納させる注目オブジェクト画像取得部とを有してよい。
【０００９】
撮像部は、動画像を撮像し、画像格納部は、撮像部が撮像した動画像に含まれる複数のオブジェクトのそれぞれを分離し、ＭＰＥＧ４規格に基づいてそれぞれのオブジェクトを圧縮符号化して格納してよい。
【００１０】
撮像部は、動画像を撮像し、元データ格納部は、動画像のそれぞれのフレーム毎に、注目位置を格納し、オブジェクト検出部は、複数のオブジェクトのうち、注目位置とオブジェクトの位置とが一致するフレーム数が、予め定められたフレーム数以上である一又は複数のオブジェクトを、注目オブジェクトとして検出してよい。
【００１１】
画像格納部は、他のオブジェクトのフレームレートを、注目オブジェクトのフレームレートより低下させて格納してよい。また、画像格納部は、他のオブジェクトの輝度又は色度の少なくとも一方の階調を、注目オブジェクトの輝度又は色度の階調より低下させて格納してよい。
【００１２】
画像格納部は、他のオブジェクトの解像度を、注目オブジェクトの解像度より低下させて格納してよい。また、画像格納部は、他のオブジェクトをグレースケール画像として格納し、注目オブジェクトをカラー画像として格納してよい。
【００１３】
画像格納部は、それぞれのオブジェクトの画像データを離散コサイン変換し、注目オブジェクトの空間周波数成分を第１量子化係数で除算することにより量子化して格納し、他のオブジェクトの空間周波数成分を第１量子化係数より大きい第２量子化係数で除算してよい。
【００１４】
本発明の第２の形態においては、被写体の撮像画像を格納する画像処理装置であって、撮像画像を表示する表示部と、表示部上におけるユーザの視線に基づいて、注目位置を検出する位置検出部と、撮像画像に含まれる複数のオブジェクトのうち、位置検出部が検出した注目位置に表示されている注目オブジェクトを、他のオブジェクトより多くの情報量で格納する画像処理部とを備える画像処理装置を提供する。
【００１５】
本発明の第３の形態においては、被写体を撮像する画像撮像方法であって、被写体の撮像画像を撮像する撮像段階部と、撮像段階において撮像した撮像画像を表示部に表示する表示段階と、表示部上におけるユーザの視線に基づいて、注目位置を検出する位置検出段階と、撮像画像に含まれる複数のオブジェクトのうち、位置検出段階において検出した注目位置に表示されている注目オブジェクトを、他のオブジェクトより多くの情報量で格納する画像処理段階とを備える画像撮像方法を提供する。
【００１６】
本発明の第３の形態においては、被写体を撮像する画像撮像装置を機能させるプログラムであって、画像撮像装置を、被写体の撮像画像を撮像する撮像部と、撮像部が撮像した撮像画像を表示する表示部と、表示部上におけるユーザの視線に基づいて、注目位置を検出する位置検出部と、撮像画像に含まれる複数のオブジェクトのうち、位置検出部が検出した注目位置に表示されている注目オブジェクトを、他のオブジェクトより多くの情報量で格納する画像処理部として機能させるプログラムを提供する。
【００１７】
なお、上記の発明の概要は、本発明の必要な特徴の全てを列挙したものではなく、これらの特徴群のサブコンビネーションもまた、発明となりうる。
【発明の効果】
【００１８】
本発明によれば、撮像画像における注目オブジェクトの情報量を、他のオブジェクトの情報量より高くして格納することができる。このため、画像データを効率よく圧縮することができる。
【発明を実施するための最良の形態】
【００１９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００２０】
図１は、本発明の実施形態に係る画像撮像装置１００の構成の一例を示す図である。画像撮像装置１００は、例えば静止画像又は動画像を撮像してディジタルデータとして格納するディジタルカメラ等である。画像撮像装置１００は、撮像部１０及び画像処理装置２０を備える。
【００２１】
撮像部１０は、例えばＣＣＤ等の複数の撮像素子を有し、被写体からの光を検出することにより、被写体の撮像画像を撮像する。それぞれの撮像素子は、撮像画像のそれぞれの画素と対応して設けられ、それぞれ検出した光に応じて画素データを出力する。
【００２２】
画像処理装置２０は、撮像部１０が撮像した撮像画像を受け取り、撮像画像の画像処理や表示を行う。画像処理装置２０は、表示部９２、位置検出部９０、及び画像処理部３０を有する。
【００２３】
表示部９２は、撮像部１０が撮像した撮像画像を表示する。また、表示部９２は、画像処理部３０がガンマ補正等の画像処理した撮像画像を表示してもよい。表示部９２は、例えば液晶ディスプレイ等である。
【００２４】
位置検出部９０は、表示部９２上におけるユーザの視線に基づいて、表示部９２が表示している撮像画像においてユーザが注目している注目位置を検出する。つまり、位置検出部９０は、表示部９２上におけるユーザの視線位置に基づいて、撮像画像においてユーザが注目している注目位置を検出する。
【００２５】
位置検出部９０は、ユーザの眼球の画像を撮像して解析することによりユーザの視線位置を検出し、注目位置を検出してよく、またユーザが行う操作により視線位置を検出してもよい。例えば、位置検出部９０は、ユーザが表示部９２の表示面を押下した位置を視線位置として検出してよく、また表示部９２が表示するカーソル等をユーザが操作することにより特定される位置を視線位置として検出してもよい。また位置検出部９０は、表示部９２の表示面の略中央を視線位置として検出してもよい。
【００２６】
画像撮像装置１００が静止画を撮像する場合、ユーザによって撮像操作が行われると、画像処理部３０は、撮像部１０が撮像している撮像画像の画像データを取り込む。このとき、位置検出部９０は、検出した注目位置を画像処理部３０に送信する。また、画像撮像装置１００が動画像を撮像する場合、画像処理部３０は、撮像部１０が撮像する撮像画像の画像データを順次取り込み、位置検出部９０は、順次取り込まれた撮像画像に対応して注目位置を画像処理部３０に送信する。
【００２７】
画像処理部３０は、受け取った撮像画像に含まれる複数のオブジェクトのうち、位置検出部９０が検出した注目位置に表示されている注目オブジェクトを、他のオブジェクトより多くの情報量で格納する。画像処理部３０は、元データ格納部４０、オブジェクト検出部５０、注目オブジェクト画像取得部６０、他オブジェクト画像取得部７０、及び画像格納部８０を有する。
【００２８】
元データ格納部４０は、撮像部１０が撮像した撮像画像と、位置検出部９０が検出した注目位置とを対応付けて格納する。画像撮像装置１００が動画像を撮像する場合、元データ格納部４０は、動画像の各フレームの撮像画像に対して、それぞれ注目位置を格納してよい。
【００２９】
オブジェクト検出部５０は、元データ格納部４０が格納した撮像画像及び対応する注目位置に基づいて、複数のオブジェクトから注目オブジェクトを抽出する。つまり、オブジェクト検出部５０は、例えば撮像画像におけるエッジを検出し、検出したエッジに基づいて撮像画像に含まれる複数のオブジェクトを検出する。そして、複数のオブジェクトのうち、注目位置における画素を含むオブジェクトを注目オブジェクトとして検出する。また、オブジェクト検出部５０は、複数のオブジェクトを、ＭＰＥＧ４規格による画像圧縮で用いるオブジェクトとして検出する。
【００３０】
また、画像撮像装置１００が動画像を撮像する場合、オブジェクト検出部５０は、複数のオブジェクトのうち、注目位置と当該オブジェクトの位置とが一致するフレーム数が、予め定められたフレーム数以上である一又は複数のオブジェクトを、注目オブジェクトとして検出してもよい。また、画像撮像装置１００が動画像を撮像する場合、オブジェクト検出部５０は、当該動画像の最初のフレームにおける注目位置に表示されたオブジェクトを、注目オブジェクトとして検出してもよい。
【００３１】
画像格納部８０は、オブジェクト検出部５０が検出した注目オブジェクトを、他のオブジェクトより多くの情報量で格納する。例えば、画像格納部８０は、他のオブジェクトをグレースケール画像として格納し、注目オブジェクトをカラー画像として格納してよく、他のオブジェクトの輝度又は色度の少なくとも一方の階調を、注目オブジェクトの輝度又は色度の階調より低下させて格納してもよい。
【００３２】
また、画像撮像装置１００が動画像を撮像する場合、画像格納部８０は、他のオブジェクトのフレームレートを、注目オブジェクトのフレームレートより低下させて格納してもよい。また、画像格納部８０は、他のオブジェクトの解像度を、注目オブジェクトの解像度より低下させて格納してもよい。本例においては、注目オブジェクト画像取得部６０及び他オブジェクト画像取得部７０が、異なる解像度で注目オブジェクト及び他オブジェクトの画像を取得し、画像格納部８０に格納する。
【００３３】
図２は、表示部９２が表示する撮像画像の一例を示す図である。撮像画像は、複数のオブジェクト（２２、２４、２６、２８）を含む。撮像画像が動画像の場合、画像格納部８０は、撮像部１０が撮像した撮像画像に含まれる複数のオブジェクト（２２、２４、２６、２８）のそれぞれを分離し、ＭＰＥＧ４規格に基づいてそれぞれのオブジェクトを圧縮符号化して格納する。本例において、オブジェクト２２は人物のオブジェクトであり、オブジェクト（２４、２６、２８）は背景のオブジェクトである。画像格納部８０は、注目オブジェクトとして検出されたオブジェクト２２と、他のオブジェクト（２４、２６、２８）とを分離して格納する。
【００３４】
図３は、画像格納部８０が格納するそれぞれのオブジェクトの一例を示す図である。前述したように、本例の画像格納部８０は、図３（ｂ）に示す注目オブジェクト２２と、図３（ａ）に示す他のオブジェクト（２４、２６、２８）とを分離して格納する。このとき、前述したように、画像格納部８０は、注目オブジェクト２２を他のオブジェクト（２４、２６、２８）より多くの情報量で格納する。
【００３５】
また、撮像画像が静止画像の場合、画像格納部８０は、まず、図２に示す撮像画像の画像データを低解像度で格納した後、図３（ｂ）に示す注目オブジェクト２２の画像データを高解像度で格納してもよい。この場合、低解像度の画像データを取得する場合、画素データを出力する撮像部１０の複数の撮像素子を間引くことにより、低解像度の画像データを取得してよい。
【００３６】
本例においては、他オブジェクト画像取得部７０は、撮像部１０の複数の撮像素子から、第１の間隔で複数の撮像素子の数より少ない数の撮像素子を抽出する。例えば、撮像部１０は水平方向及び垂直方向に所定の間隔で連続して配置された複数の撮像素子を有し、他オブジェクト画像取得部７０は、水平方向及び垂直方向の少なくともいずれかにおいて、撮像素子が設けられた所定の間隔より大きい第１の間隔で撮像素子を抽出する。そして、他オブジェクト画像取得部７０は、抽出した撮像素子が出力する画素データを他オブジェクト（２４、２６、２８）の画像データとして受け取り、画像格納部８０に格納させる。また、他オブジェクト画像取得部７０は、抽出した撮像素子以外の撮像素子が出力する画素データを他オブジェクト（２４、２６、２８）の画像データとして受け取ってもよい。
【００３７】
注目オブジェクト画像取得部６０は、撮像部１０の複数の撮像素子のうち、注目オブジェクト２２に対応する撮像素子から、第１の間隔より狭い第２の間隔で撮像素子を抽出する。そして、注目オブジェクト画像取得部６０は、抽出した撮像素子が出力する画素データを注目オブジェクト２２の画像データとして受け取り、画像格納部８０に更に格納させる。本例においては、注目オブジェクト画像取得部６０は、撮像素子が設けられた所定の間隔と等しい第２の間隔で撮像素子を抽出する。即ち、注目オブジェクト画像取得部６０は、注目オブジェクト２２を撮像した全ての撮像素子から画素データを受け取る。このような動作により、他のオブジェクト（２４、２６、２８）に対して注目オブジェクト２２をより高い情報量で容易に格納することができる。このため、画像データを効率よく圧縮することができる。
【００３８】
また、画像格納部８０は、それぞれのオブジェクトの画像データを離散コサイン変換して格納してもよい。この場合、画像格納部８０は、他オブジェクトに対する量子化係数を、注目オブジェクトに対する量子化係数より大きくすることにより、他オブジェクトの情報量を低下させてもよい。
【００３９】
図４は、画像格納部８０における離散コサイン変換を説明する図である。画像格納部８０は、それぞれのオブジェクトを８×８画素の変換領域に分割し、それぞれの変換領域の６４個の画素データを離散コサイン変換し、６４個の空間周波数成分を算出する。
【００４０】
図４（ａ）は、変換領域を離散コサイン変換した空間周波数成分のデータ配列を示す。それぞれのデータＤａｂ（但しａ、ｂは１〜８の整数）は、水平方向及び垂直方向における空間周波数成分のデータを示し、添字が大きい程、より高周波の成分を示す。画像格納部８０は、それぞれの空間周波数成分Dａｂを、予め定められた量子化係数で除算し、除算の余りを除去することにより、画像データを圧縮する。
【００４１】
図４（ｂ）は、予め定められた量子化係数のテーブルの一例を示す。画像格納部８０は、複数の空間周波数成分に対応する複数の量子化係数から成るテーブルを予め格納する。それぞれの係数Ｑａｂは、空間周波数成分Ｄａｂと対応する。ここで、画像格納部８０は、注目オブジェクトの画像データの圧縮において用いるべき第１量子化係数のテーブルと、他オブジェクトの画像データの圧縮において用いるべき第２量子化係数のテーブルとを予め格納していることが好ましい。
【００４２】
画像格納部８０は、それぞれのオブジェクトの画像データの空間周波数Ｄａｂを、対応する量子化係数Ｑａｂで除算し、余りを除去した値を、新たな空間周波数Ｄａｂとして格納する。このとき、画像格納部８０は、注目オブジェクトに対する第１量子化係数より大きい第２量子化係数を、他のオブジェクトに対して用いることにより、他オブジェクトの情報量を注目オブジェクトの情報量より低下させることができる。
【００４３】
図５は、図１から図４において説明した画像撮像装置１００の動作の一例を示すフローチャートである。前述したように、まず撮像段階Ｓ２００で、撮像部１０は被写体を撮像し、表示段階Ｓ２０２で、表示部９２は撮像画像を表示する。そして、注目位置検出段階Ｓ２０４で、位置検出部９０は、ユーザの注目位置を検出し、オブジェクト検出段階Ｓ２０６で、オブジェクト検出部５０は、注目オブジェクトを検出する。そして、画像格納段階Ｓ２０８において、画像格納部８０は、注目オブジェクトの情報量を、他オブジェクトの情報量より高くして撮像画像を格納する。
【実施例２】
【００４４】
図６は、本発明の他の実施形態に係る画像撮像装置３００の構成の一例を示す図である。画像撮像装置３００は、画像撮像装置１００と同様に、例えば静止画像又は動画像を撮像してディジタルデータとして格納するディジタルカメラ等である。画像撮像装置３００は、撮像部１０、及び画像処理装置２０を備える。図６において図１と同一の符号を付した構成要素は、図１に関連して説明した構成要素と同一の構成及び機能を有してよい。
【００４５】
撮像部１０は、図１に関連して説明した撮像部１０と同一の構成及び機能を有する。また、画像処理装置２０は、表示部９２、オブジェクト検出部５０、テンプレート格納部５２、及び画像処理部３０を有する。表示部９２は、図１に関連して説明した表示部９２と同一の構成及び機能を有する。
【００４６】
テンプレート格納部５２は、予め定められたオブジェクトのテンプレート画像を格納する。ここで、テンプレート格納部５２は、例えば人物を検出するためのテンプレート画像を格納する。
【００４７】
オブジェクト検出部５０は、撮像部１０が撮像した撮像画像に含まれる複数のオブジェクトから、テンプレート格納部５２から与えられるテンプレート画像と一致する注目オブジェクトを検出する。テンプレート格納部５２は、複数のテンプレート画像を格納し、予め設定された一のテンプレート画像、又はユーザが随時選択するテンプレート画像をオブジェクト検出部５０に供給してよい。
【００４８】
また、オブジェクト検出部５０は、図１に関連して説明したようにユーザの注目位置に基づいて注目オブジェクトを検出するか、又は前述したようにテンプレート画像を用いて注目オブジェクトを検出するかを選択してもよい。この場合、画像撮像装置１００は、図１において説明した画像撮像装置１００の構成に加え、テンプレート格納部５２を更に備える。
【００４９】
例えば、オブジェクト検出部５０は、テンプレート画像と一致するオブジェクトが無い場合に、ユーザの注目位置に基づいて注目オブジェクトを検出してよく、またユーザの注目位置が定まらない場合に、テンプレート画像を用いて注目オブジェクトを検出してもよい。
【００５０】
注目オブジェクト画像取得部６０、他オブジェクト画像取得部７０、及び画像格納部８０は、図１に関連して説明した注目オブジェクト画像取得部６０、他オブジェクト画像取得部７０、及び画像格納部８０と同一の機能を有し、注目オブジェクトを他オブジェクトより高い情報量で格納する。本例における画像撮像装置３００によっても、図１に関連して説明した画像撮像装置１００と同様に、他のオブジェクトに対して注目オブジェクトをより高い情報量で容易に格納することができる。このため、画像データを効率よく圧縮することができる。
【００５１】
図７は、図５に関連して説明した画像撮像装置３００の動作の一例を示すフローチャートである。まず、撮像段階Ｓ２００で、撮像部１０が被写体を撮像する。そして、テンプレート格納段階Ｓ２１０で、テンプレート格納部５２がテンプレートを格納する。テンプレート格納段階Ｓ２１０は、撮像段階Ｓ２００より前に行われていてもよい。
【００５２】
そして、オブジェクト検出段階Ｓ２１２で、オブジェクト検出部５０が、テンプレート格納部５２から受け取ったテンプレート画像に基づいて、撮像画像から注目オブジェクトを検出する。そして、画像格納段階Ｓ２０８において、画像格納部８０は、他オブジェクトの情報量より注目オブジェクトの情報量を高くして、撮像画像を格納する。
【００５３】
図８は、撮像装置を制御するコンピュータ４００の構成の一例を示す図である。本例において、コンピュータ４００は、撮像装置を図１に関連して説明した画像撮像装置１００として機能させるプログラムを格納してよく、また撮像装置を図６に関連して説明した画像撮像装置３００として機能させるプログラムを格納してもよい。また、コンピュータ４００は、撮像装置の画像処理装置２０として更に機能してもよい。
【００５４】
コンピュータ４００は、ＣＰＵ７００と、ＲＯＭ７０２と、ＲＡＭ７０４と、通信インターフェース７０６と、ハードディスクドライブ７１０と、フレキシブルディスクドライブ７１２と、ＣＤ−ＲＯＭドライブ７１４とを備える。ＣＰＵ７００は、ＲＯＭ７０２、ＲＡＭ７０４、ハードディスクドライブ７１０、フレキシブルディスク７２０、及び／又はＣＤ−ＲＯＭ７２２に格納されたプログラムに基づいて動作する。
【００５５】
例えば、撮像装置を機能させるプログラムは、コンピュータ４００を、図１又は図６に関連して説明した画像処理装置２０として機能させ、撮像部１０を図１又は図６に関連して説明したように機能させ、撮像装置を機能させる。
【００５６】
通信インターフェース７０６は、例えば撮像部１０と通信し、それぞれの状態等に関する情報を受信し、またそれぞれを制御する制御信号を送信する。格納装置の一例としてのハードディスクドライブ７１０、ＲＯＭ７０２、又はＲＡＭ７０４は、設定情報、及びＣＰＵ７００を動作させるためのプログラム等を格納する。また、当該プログラムは、フレキシブルディスク７２０、ＣＤ−ＲＯＭ７２２等の記録媒体に格納されていてもよい。
【００５７】
フレキシブルディスクドライブ７１２は、フレキシブルディスク７２０がプログラムを格納している場合、フレキシブルディスク７２０からプログラムを読み取りＣＰＵ７００に提供する。ＣＤ−ＲＯＭドライブ７１４は、ＣＤ−ＲＯＭ７２２がプログラムを格納している場合、ＣＤ−ＲＯＭ７２２からプログラムを読み取りＣＰＵ７００に提供する。
【００５８】
また、プログラムは記録媒体から直接ＲＡＭに読み出されて実行されても、一旦ハードディスクドライブ７１０にインストールされた後にＲＡＭ７０４に読み出されて実行されてもよい。更に、上記プログラムは単一の記録媒体に格納されても複数の記録媒体に格納されても良い。また記録媒体に格納されるプログラムは、オペレーティングシステムとの共同によってそれぞれの機能を提供してもよい。例えば、プログラムは、機能の一部または全部を行うことをオペレーティングシステムに依頼し、オペレーティングシステムからの応答に基づいて機能を提供するものであってもよい。
【００５９】
プログラムを格納する記録媒体としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアーカードなどの半導体メモリ等を用いることができる。又、専用通信ネットワークやインターネットに接続されたサーバシステムに設けたハードディスクまたはＲＡＭ等の格納装置を記録媒体として使用してもよい。
【００６０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６１】
【図１】本発明の実施形態に係る画像撮像装置１００の構成の一例を示す図である。（実施例１）
【図２】表示部９２が表示する撮像画像の一例を示す図である。
【図３】画像格納部８０が格納するそれぞれのオブジェクトの一例を示す図である。図３（ａ）は他のオブジェクト（２４、２６、２８）を示し、図３（ｂ）は注目オブジェクト２２を示す。
【図４】画像格納部８０における離散コサイン変換を説明する図である。図４（ａ）は、変換領域を離散コサイン変換した空間周波数成分のデータ配列を示し、図４（ｂ）は、予め定められた量子化係数のテーブルの一例を示す。
【図５】図１から図４において説明した画像撮像装置１００の動作の一例を示すフローチャートである。
【図６】本発明の他の実施形態に係る画像撮像装置３００の構成の一例を示す図である。（実施例２）
【図７】図５に関連して説明した画像撮像装置３００の動作の一例を示すフローチャートである。
【図８】撮像装置を制御するコンピュータ４００の構成の一例を示す図である。
【符号の説明】
【００６２】
１０・・・撮像部、２０・・・画像処理装置、２２・・・注目オブジェクト、２４、２６、２８・・・他のオブジェクト、３０・・・画像処理部、４０・・・元データ格納部、５０・・・オブジェクト検出部、５２・・・テンプレート格納部、６０・・・注目オブジェクト画像取得部、７０・・・他オブジェクト画像取得部、８０・・・画像格納部、９０・・・位置検出部、９２・・・表示部、１００・・・画像撮像装置、３００・・・撮像装置、４００・・・コンピュータ、７００・・・ＣＰＵ、７０２・・・ＲＯＭ、７０４・・・ＲＡＭ、７０６・・・通信Ｉ／Ｆ、７１０・・・ハードディスクドライブ、７１２・・・ＦＤドライブ、７１４・・・ＣＤ−ＲＯＭドライブ、７２０・・・フレキシブルディスク、７２２・・・ＣＤ−ＲＯＭ
【図１】
2005109756.tif 000003
【図２】
2005109756.tif 000004
【図３】
2005109756.tif 000005
【図４】
2005109756.tif 000006
【図５】
2005109756.tif 000007
【図６】
2005109756.tif 000008
【図７】
2005109756.tif 000009
【図８】
2005109756.tif 000010